(57)【要約】  保持リングは、部分半球形外面及び半径方向に延びるチャンネル及び部分捕捉凹所を持つ内ボアを含む。シャンクは、骨に埋め込むことができる螺旋状ねじ山を備えた本体及び上方に延びる捕捉構造を含む。捕捉構造は、半径方向外方に面する楔状表面を備えた半径方向外方に延びる少なくとも一つのスプラインを含む。捕捉構造は、保持リングの中央ボアを作動的に通過し、そのとき、適当な形状のチャンネルをスプラインが通過し、そのためスプラインがヘッドの上方に位置決めされ、次いで、シャンクを適当に回転させ、シャンクを下方に引き戻し、スプラインを捕捉凹所と係合させてそこに着座させる。ヘッドは、リングの表面と噛み合う球形の表面を持つ内部キャビティを含み、リングがひとたびキャビティに着座すると、リングが抜けないようにする下制限ネックを有する。
2007524424.tif 000002
【特許請求の範囲】
【請求項１】
多軸骨ねじにおいて、
（ａ）骨に埋め込まれるようになっている本体及びこの本体から延びる捕捉構造とを有し、前記捕捉構造はこの捕捉構造から半径方向外方に延びる少なくとも一つのスプラインを含む、シャンクと、
（ｂ）ロッド部材を受け入れるようになっているチャンネル、及び部分的に球形の表面を備えたキャビティを持ち且つ前記チャンネルと上開口部を通して連通するベースとを有し、前記キャビティは、前記シャンクの捕捉構造を受け入れる大きさ及び形状の下開口部を通して外部と連通している、ヘッドと、
（ｃ）前記ヘッドのキャビティ内に受け入れられるリテーナリングであって、前記ヘッドの部分的に球形の表面に着座する大きさ及び形状の部分的に球形の外面を持ち、前記リングは中央ボアを有し、各スプラインの夫々について前記ボア内に開口する軸線方向通過リングチャンネルが設けられており、前記リングボア及びリングチャンネルは、前記シャンク捕捉構造を軸線方向に通した後に回転できるような大きさ及び形状を備えており、前記リテーナリングは、更に、各スプライン用の捕捉凹所を有し、この凹所は、前記シャンクを、次いで、前記リテーナリングに対して軸線方向下方に移動したとき、前記捕捉構造が前記リングによって捕捉されるように、夫々のスプラインを受け入れて捕捉するが、非係止組み立て状態では前記シャンクを前記ヘッドに対して回転させることができる大きさ及び形状を備えた、リテーナリングと、
（ｄ）前記シャンクを下方に作動的に押圧し、前記リング表面を前記ヘッド表面と摩擦係合させ、係止状態で前記シャンクを前記ヘッドに対して所定位置に係止するための閉鎖栓を含む、多軸骨ねじ。
【請求項２】
請求項１に記載のねじにおいて、
（ａ）前記シャンクは、周方向で等間隔に間隔が隔てられた少なくとも二つのスプラインを有する、ねじ。
【請求項３】
請求項１に記載のねじにおいて、
（ａ）前記シャンクは、周方向で等間隔に間隔が隔てられた少なくとも四つのスプラインを有する、ねじ。
【請求項４】
請求項１に記載のねじにおいて、
（ａ）前記シャンク捕捉構造は、前記ヘッドに受け入れられたときにロッド部材と係合するような大きさ及び形状の丸味を帯びたドームを備えた上方延長部を含み、前記閉鎖栓は、前記閉鎖栓が前記ヘッド内に作動的に位置決めされたとき、前記ロッド部材を前記ドームに作動的に押圧するようになっている、ねじ。
【請求項５】
請求項４に記載のねじにおいて、
（ａ）前記ドームの半径は、前記リテーナリングの半球形表面の半径よりもかなり小さい、ねじ。
【請求項６】
請求項１に記載のねじにおいて、
（ａ）前記ヘッドは、ロッド部材を受け入れるようになっているチャンネルを形成し、内側に案内前進構造が設けられた間隔が隔てられた起立アームを含み、
（ｂ）前記閉鎖栓は、前記アーム間に作動的に位置決めされて前記チャンネルを閉鎖し、前記アームに設けられた案内前進構造と噛み合う案内前進構造を含み、これにより前記閉鎖栓を前記閉鎖体内に回転させ、内側に配置された前記ロッド部材に押圧力を加えることができる、ねじ。
【請求項７】
請求項６に記載のねじにおいて、
（ａ）前記Ｕ形状チャンネル内に受け入れられたロッドと組み合わせられる、ねじ。
【請求項８】
請求項１に記載のねじにおいて、
（ａ）前記ヘッドの前記下開口部は、前記リテーナリングよりも半径が小さい制限ネックを有する、ねじ。
【請求項９】
請求項１に記載のねじにおいて、
（ａ）前記リングは前記上開口部を通して前記ヘッド内に入れられ、前記シャンクは前記下開口部を通して前記ヘッドに入れられる、ねじ。
【請求項１０】
請求項１に記載のねじにおいて、
（ａ）前記リングは、半径方向に延びる隙間を持つ割りリングである、ねじ。
【請求項１１】
ヘッド及びシャンクを含む多軸骨ねじにおいて、
（ａ）前記ヘッド内に受け入れられる大きさ及び形状を持ち且つ中央ボアを持つ捕捉リングであって、前記ボアから半径方向外方に延びる軸線方向に整合した少なくとも一つのチャンネルが設けられている、捕捉リングを更に含み、
（ｂ）前記シャンクは、各チャンネルと関連する半径方向外方に延びるスプラインが設けられた捕捉端を有し、このシャンク捕捉端は、前記ボアを前記スプラインの各々が通過するような大きさ及び形状を備えており、前記スプラインの各々は、その後、前記リングの上方に位置決めされ、前記シャンクは、その後、前記スプラインの各々を夫々のチャンネルと不整合にすることにより、前記シャンクが前記リングに対して捕捉されるように軸線方向に回転できる、多軸骨ねじ。
【請求項１２】
請求項１１に記載の骨ねじにおいて、整合状態にある場合に夫々のチャンネルと摺動噛み合いするような大きさ及び形状を持ち且つそのように位置決めされる少なくとも二つのチャンネル及び少なくとも二つのスプラインを含む、骨ねじ。
【請求項１３】
請求項１１に記載の骨ねじにおいて、
（ａ）前記シャンクは、前記シャンク及びリングの接合後に前記リングの上方に延びる上突出部を含み、
（ｂ）前記ヘッド用閉鎖機構を含み、この閉鎖機構は、前記骨ねじの組み立て時に前記スプラインの各々を前記リングに押し付けるように前記突出部に押し付けられる、骨ねじ。
【請求項１４】
請求項１３に記載の骨ねじにおいて、
（ａ）前記突出部は、前記リングと関連した第２曲率半径よりも小さい第１曲率半径を持つドームである、骨ねじ。
【請求項１５】
請求項１１に記載の骨ねじにおいて、
（ａ）前記ヘッドは、前記リングの部分的に半球形の表面とほぼ同じ部分的に球形の表面を持つ内チャンバを有し、前記リングは前記ヘッドチャンバ及び前記ヘッド表面に作動的に着座する、骨ねじ。
【請求項１６】
請求項１５に記載の骨ねじにおいて、
（ａ）前記チャンバは、前記シャンクを受け入れる大きさ及び形状のネックを通して前記ヘッドの外部に開放しており、前記シャンクは、前記ネックを通して少なくとも部分的に作動的に受け入れられ、
（ｂ）前記ネックは前記リングよりも小径である、骨ねじ。
【請求項１７】
請求項１６に記載の骨ねじにおいて、
（ａ）前記ヘッドはロッド受け入れチャンネルを有し、
（ｂ）前記ロッドチャンネルに作動的に位置決めされ且つ前記シャンクと作動的に係合するロッド、及び
（ｃ）前記ロッドチャンネルを作動的に閉鎖する、前記ロッドに押し付けられる閉鎖栓を含む、骨ねじ。
【請求項１８】
請求項１１に記載の骨ねじにおいて、
（ａ）前記リングは前記スプラインの各々用のスプライン受け入れ凹所を含み、これらの凹所の各々は夫々のリングスプラインチャンネルから周方向に間隔が隔てられており、このようなスプラインが夫々の凹所と整合し、前記リングの上方から挿入されたとき、その中に夫々のスプラインを作動的に捕捉する、骨ねじ。
【請求項１９】
ねじ山を備えた本体部分及び連結機構によって接合できる捕捉構成要素を備えたシャンクを持つ多軸骨ねじにおいて、前記捕捉機構は、
（ａ）前記シャンク本体部分の捕捉端に配置された半径方向外方に延びるスプライン、
（ｂ）前記捕捉構成要素に配置された、半径方向外方に延びるチャンネルを含む貫通ボア及び、
（ｃ）前記ボアは、接合スプラインを備えた前記シャンク捕捉端を摺動自在に受け入れ且つ整合状態において前記ボア及びチャンネルに通すことができるような大きさ及び形状を備えており、前記シャンク本体部分は、その後、前記スプラインが前記チャンネルを通過しない非整合状態で前記スプラインを位置決めするため、前記捕捉構成要素に対して軸線方向に回転できる、多軸骨ねじ。
【請求項２０】
請求項１９に記載の骨ねじにおいて、
（ａ）前記捕捉構成要素は、前記スプラインが前記非整合状態の前記チャンネルと整合していない場合にのみアクセスできる前記スプライン用の捕捉凹所を含む、骨ねじ。
【請求項２１】
多軸骨ねじにおいて、
（ａ）ヘッド、
（ｂ）捕捉端と軸線方向に隣接したねじ山を備えた本体を持つシャンクであって、前記捕捉端は、円形断面を有し且つ非螺旋状の半径方向外方に延びる少なくとも一つのスプラインを有する、シャンク、及び
（ｃ）チャンネルが半径方向外方に位置決めされたボアを備えた捕捉部材であって、前記ボア及び前記チャンネルは、整合状態にある場合に前記シャンク捕捉端及びスプラインを摺動自在に受け入れるような大きさ及び形状を有し、前記シャンクは、前記捕捉端及びスプラインを前記ボア及びチャンネルに通した後、前記捕捉部材に対し、スプラインが前記チャンネルと整合していない非整合状態まで軸線方向に回転でき、前記非整合状態では、これによって、前記シャンクを前記捕捉部材に接合する、捕捉部材を含む、多軸骨ねじ。
【請求項２２】
請求項２１に記載の骨ねじにおいて、
（ａ）前記捕捉部材は、前記スプラインを前記チャンネルに非整合状態で受け入れ且つ捕捉するための捕捉凹所を含む、骨ねじ。
【請求項２３】
請求項２１に記載の骨ねじにおいて、
（ａ）前記ヘッドは、部分的に球形の表面を持つキャビティを含み、
（ｂ）前記捕捉部材は、前記ヘッド表面に回転自在に受け入れられる大きさ及び形状の外面を含む、骨ねじ。
【請求項２４】
請求項２３に記載の骨ねじにおいて、
（ａ）ロッド部材を受け入れるためのロッドチャンネル、及び
（ｂ）前記ロッド及び前記捕捉部材を前記ヘッドに対して固定位置に作動的に係止するための係止閉鎖栓を含む、骨ねじ。
【請求項２５】
請求項２３に記載の骨ねじにおいて、
（ａ）前記キャビティは、前記シャンク捕捉端を作動的に受け入れる下ネックを有し、前記ネックの関連した半径は、前記捕捉部材の半径よりも小さく、前記捕捉部材が前記ヘッドキャビティ内にある場合に前記捕捉部材がこれを通過しないようにする、骨ねじ。
【発明の詳細な説明】
【技術分野】
【０００１】
本発明は、脊椎手術等で使用するための多軸骨ねじに関し、更に詳細には、ロッド部材を受け入れてロッド部材を椎骨等に固定するようになったねじに関する。
【背景技術】
【０００２】
多くの脊椎手術は、様々なインプラントを骨に、特に脊椎に沿って椎骨に固定することを必要とする。例えば、細長いロッドは、多くの場合、受傷や疾病等により損傷した又は弱くなった椎骨に対して支持を提供するため、脊椎に沿って延びる必要がある。このようなロッドは、特定の椎骨によって支持されなければならず、そして他の椎骨を支持しなければならない。このような構造を提供するための最も一般的な機構は、特定の骨に骨ねじをねじ込んだ後、ロッドを支持するか或いはロッドによって支持される。この種の骨ねじは、ヘッドがそのシャンクに対して固定されている。固定された骨ねじでは、ヘッドをシャンクに対して動かすことができず、ロッドを、ヘッド内に配置されるように望ましいように位置決めしなければならない。これは、幾つかの場合において非常に困難であるか或いは不可能であり、そのため多軸骨ねじが一般に使用されている。多軸骨ねじにより、ヘッドを、シャンクを中心として、ヘッドがシャンクに対して所望の回転位置に達するまで、回転させることができ、その後、ロッドを挿入でき、ヘッドの位置を、最終的に、シャンクに対する移動に関して係止する。
【０００３】
本発明は、スイベルヘッド型骨ねじに関し、更に詳細には、ロッド部分をヘッド内に配置した後に閉鎖栓やプラグ等を使用することによって閉鎖し、ロッドをねじのヘッドに捕捉できる開放ヘッドを持つスイベルヘッド骨ねじに関する。
【０００４】
このようなインプラントは、人体内に配置されるため、インプラントが人体に及ぼす作用をできるだけ小さくするのが望ましい。従って、インプラントは、高さ及び幅の両方について形状が比較的小さいのが望ましい。更に、インプラントは軽量であるのが望ましい。
【０００５】
更に、スイベルヘッドインプラントは、体内で不用意に分解してしまわないのが望ましい。手術の完了後にインプラントの部品が外れて体内で移動するのは非常に望ましくない。更に、インプラントが埋め込まれた構造の問題点を正す性能をインプラントが保持するのを保証する。更に、インプラントが何らかの理由で滑ったり緩くなったりした場合に、全ての部品が互いに係合した状態を保持し分離しないようにするのが望ましい。
【発明の開示】
【発明が解決しようとする課題】
【０００６】
従って、構造の様々な部品の望ましからぬ分解が起こる可能性が小さいように各部品を全体構造内の前の部品と順次係止するように組み立てられる軽量で低プロファイルの多軸多軸骨ねじを提供するのが望ましい。
【課題を解決するための手段】
【０００７】
本発明は、互いに作動的に協働するシャンク、ヘッド、及びリテーナリングを持つ多軸骨ねじに関する。骨ねじは、ヘッドがロッド部材を受け入れるとき、及びシャンクを椎骨や椎体等の骨に埋め込むとき、シャンクを、ヘッドに関し、選択された角度状態で係止し固定できるように設計されている。
【０００８】
シャンクは、螺旋状外ねじを備えたインプラント本体を有し、この本体はネックによって、捕捉部即ちコネクタ型構造を持つ捕捉端に取り付けられている。捕捉構造は、使用時に骨の外側に位置決めされ、丸味を帯びた円筒形形状の半径方向外面を有する。この外面は、半径方向外方に延びる少なくとも一つの非螺旋状の又はスプライン状の突出部を有する。捕捉構造は、更に、シャンクの残りの上方に突出した軸線方向に整合した丸味を帯びた上ドームを有する。これは、シャンクを操作しロッドと接触させる使用中にリングの上方に突出する。更に、幾つかの実施例では、シャンクは軸線からずらした穴、溝、側スロット等を含む。これらは、シャンクを骨内に打ち込んで回転するための噛み合い形状のヘッドを持つ設置工具で使用するためのものである。
【０００９】
ヘッドは全体に円筒形形状のプロファイルを有し、上方に開放したＵ形状チャンネルが形成されており、間隔が隔てられた二つの起立アームを持つ下ベースを効果的に形成する。アームの内面には、チャンネルの上部分の閉鎖に使用するためのねじ山形態又は螺旋状フランジ形態等の他の案内前進構造が設けられている。ベースの内部には、内向きの部分球形表面を持つチャンバがヘッドと同軸に整合して配置されている。チャンバは、更に、捕捉構造を通すことができる大きさ及び形状の制限ネックを形成するヘッド下壁ボアを通してヘッドの底面に開放している。
【００１０】
リテーナリングは、ヘッド内の部分的に球形の表面に着座し且つ摺動自在に係合する大きさ及び形状の部分的に球形又は半球形の外面を含む。ヘッド内の半径及びリテーナリングの外面の半径はほぼ同じである。リングの内部中央には、シャンクの捕捉構造を受け入れる大きさ及び形状の軸線方向に延びるリングボアが設けられている。更に、リングには軸線方向に延びる一連のチャンネルが設けられている。これらのチャンネルは中央ボアを中心として位置決めされており且つこの中央ボア内に開放しており、シャンクスプライン全体をリングに摺動自在に通過させることができる。そのため、リングがヘッドのチャンバ内に位置決めされているときにシャンクをリングに挿入できる。チャンネルはボアの周囲で螺旋状をなしておらず、好ましくは垂直方向にリングの軸線と平行に延びている。リングは、チャンネルから周方向に間隔が隔てられた一組の凹所を更に含む。これらの凹所は、リングの上部分上に及びボア内に開放しているが、リングを完全に通過しておらず、スプラインを備えたシャンクをリングに関して軸線方向下方に引っ張ることによってスプラインを入れることができる。このようにして、シャンクの捕捉の残りの部分と関連してチャンネルを通して摺動することによってスプラインをリングを通して上方に通す、即ち上方に装入でき、ボアを通して完全に摺動させた後、シャンクをヘッドに対して所定角度回転させ、次いでスプラインが凹所と出会ってこれと係合するように下方に引き戻す即ち下方に装入し、スプラインをリングによって捕捉する。スプラインは、好ましくは、楔状表面を有し、この表面は、シャンク頂部に力を加えたとき、下方にばかりでなくリテーナ即ち捕捉リングに対して半径方向外方に押される。
【００１１】
組み立て中、リングは、Ｕ形状チャンネルを通して部分球形表面を持つチャンバ内に配置され、次いで、リングの半球形表面がヘッドの部分球形表面と噛み合ってこれと摺動自在に係合するように回転させる。その後、シャンク捕捉構造をリング中央ボア内に上方に装入し、このボアを通って延ばし、チャンネルにスプラインを通す。次いでシャンクをリングに対して回転した後、シャンクを上方への装入方向とは軸線方向逆方向に移動し、スプラインを凹所上にこれらの凹所と整合しているがチャンネルとは整合しないように位置決めした後、スプラインを凹所に入れる。シャンクが連結されたリングは、その後、ヘッドを持つボール−ソケット継手を効果的に形成し、後に選択された状態で係止されるまで、選択された角度状態まで自由に回転させることができる。次いで、シャンクの頂部に設けられた穴、又はリングの上方に延びるシャンクの部分の外側に設けられた溝や切り子面を備えた表面等の別の構造を使用してシャンク本体を骨にねじ込むことによって、シャンク、ヘッド、及びリングを骨に配置する。
【００１２】
その後、ロッドをＵ形状チャンネルに配置し、閉鎖栓又はプラグを使用してチャンネルを閉鎖することにより、ロッドをチャンネル内に捕捉する。閉鎖栓又はプラグには、ねじ山又は他の外部案内前進構造が設けられており、閉鎖栓を回転したとき、この構造がヘッドのアームの案内前進構造と噛み合ってこれに沿って前進する。好ましくは、閉鎖栓は、工具で閉鎖栓を回転させてトルクを加えるためのパーチェスを提供する折り取りヘッドを更に含む。このようなトルクは、ヘッドに受け入れられたロッドに圧力として伝達され、加えられる。予め選択されたトルクに達したとき、折り取りヘッドは閉鎖栓から折り離される。ロッドは、閉鎖栓からの圧力の作用で、リングの上方に延びるシャンクのドームに押し付けられ、これによってスプラインを下方に押圧する。スプラインは、楔形状の構造を備えているため、ドームに力が加わったとき、リテーナ即ち捕捉リングを下方及び外方の両方に押し、保持リングをキャビティと摩擦係合させ、ここに積極的に着座させ、圧力が加わったロッドと摩擦係合したシャンクドームと関連してこれ以上回転しないようにする。詳細には、リングの半球形表面は、ヘッドの一体の半球形内面と衝合し且つ摩擦によって噛み合い、この際、ドームはロッドからの圧力の作用によってロッドと摩擦によって噛み合い、シャンク及びリングをヘッドに対して選択された角度状態で係止する。シャンクは、このようにして、ヘッドに関して無限数の角度状態から選択された状態で係止できる。ひとたびこのように一杯に組み立てた後、部品が壊れて破片にならない限り、プロセスを逆にして分解したり部品を壊したりしないと捕捉リング及びヘッドからシャンクを係合解除できない。
【００１３】
従って、本発明の目的は、
骨に埋め込むことができる、骨ねじのヘッドに対して固定位置に係止できるシャンクを持つ多軸骨ねじを提供すること、
骨ねじヘッド内にこのヘッドと一体成形された部分的に球形のチャンバ内面内に着座し、ボール−ソケット継手を形成する、外面が部分的に半球形の捕捉リング即ち保持リングを持ち、シャンクを保持リングに固定できる骨ねじを提供すること、
シャンクがその捕捉端から半径方向外方に延びる少なくとも一つのスプラインを有し、保持リングは、捕捉端を受け入れる中央ボアを有し、ボア内に開放したチャンネルにより、スプラインを、リングを通して、リングの上に通過するように摺動させることができ、そのとき、シャンクを選択された角度で回転させることができ、更に保持リングは、シャンクをリテーナリングに対してその軸線に沿って更に下方に即ち逆方向に移動させたときにスプラインを受け入れる捕捉凹所を有する、骨ねじを提供すること、
上方に突出した丸味を帯びたドームがシャンクに設けられ、ドームの半径は、一実施例では、リテーナリングに設けられた半球形の外面の半径よりもかなり小さく、ねじヘッドの高さを小さくするようにヘッドチャンバ内で上方に延びており、更に、組み立て中にロッドから下方への圧力が加わるように、ヘッドに受け入れられたロッド部材と係合するように作動的に位置決めされた、骨ねじを提供すること、
ロッドを受け入れた後に閉鎖栓を使用して骨ねじヘッドのチャンネルを閉鎖し、ロッド部材に圧力を加え、シャンクのドームに圧力を及ぼし、各スプラインを押圧して保持リングときつく当接させ、保持リングを下方及び半径方向外方の両方向に押圧し、保持リングの半球形の外面をヘッドのチャンバ内の球形の内面と更に完全に接触させ且つ摩擦係合し、これによって機械的固定を改善し、シャンクがヘッドに対してこれ以上回転しないようにする骨ねじを提供すること、
比較的低プロファイルであり且つ比較的軽量な骨ねじを提供すること、
閉鎖栓を取り外すことによることを除き、分解に抵抗する骨ねじを提供すること、
分解が所望の場合に外科医が閉鎖栓を取り外すことができ、そのような場合に構造全体を容易に且つ迅速に分解し、必要であれば骨ねじから取り除くことができる骨ねじを提供すること、
使用中、シャンクが閉鎖体に対して係止状態又は固定状態で所定位置に係止された骨ねじを提供すること、
ねじがひとたび完全に組み立てられると、外科医が閉鎖栓を取り外して装置を分解する場合を除き、シャンクをヘッド及び保持リングから分解できない骨ねじを提供すること、及び
使用が容易で所期の使用に対して極めて有効な骨ねじを提供することである。
【００１４】
本発明のこの他の目的及び利点は、本発明の特定の実施例を例示する添付図面を参照して以下の説明を読むことにより明らかになるであろう。
添付図面は本願の一部を構成し、本発明の例示の実施例を包含し、本発明の様々な目的及び特徴を例示する。
【発明を実施するための最良の形態】
【００１５】
本発明の詳しい実施形態を、必要とされるように、ここに説明するが、開示の実施形態は本発明を単に例示するものであって、様々な形態で実施できることは理解されるであろう。従って、本明細書中に開示した特定の構造及び機能は、限定であると解釈されるべきではなく、特許請求の範囲についての単なる基礎であると解釈されるべきであり、実際上任意の適当な詳細な構造で本発明を様々に使用することを当業者に教示するための例示の基礎であると解釈されるべきである。
【００１６】
参照番号１は、本発明による多軸骨ねじ装置又はアッセンブリの全体に付してある。この骨ねじ装置は、椎骨２に埋め込むことによって、及び長手部材即ちロッド３と接続して、ロッド３を椎骨２に関して相対的に固定位置で動作可能に固定するように、作動的に適用される。
【００１７】
組み立てを完了した状態の骨ねじアッセンブリ１は、シャンク６、ヘッド７、リテーナリング８、及び閉鎖栓(closure top)９を含む。シャンク６は、おそらくは、図１及び図８に最もよく示してある。シャンク６は細長く、下本体１５が先端１６で終端する。シャンク本体１５は、骨に埋め込むことができる螺旋状ねじ山１７を有する。このねじ山は、先端１６の近くから本体１５の頂部１８の近くまで半径方向外方に拡がっている。使用中、ねじ山１７を用いた本体１５は、図１８でわかるように、椎骨２に埋め込まれる。シャンク６は、全体に参照符号Ａを付した細長い回転軸線を有する。尚、本明細書中で使用する頂部及び底部という用語は、様々な図面に示す配置に関し、並びにこうした装置に適用される通常の意味に関し、実際の使用におけるアッセンブリ１の位置を制限しようとするものではない。
【００１８】
シャンク本体１５から、この本体１５の頂部１８と比較して半径が小さいネック２０が外方及び上方に軸線方向に延びている。更に、ネック２０から捕捉端即ち捕捉構造２１が軸線方向外方に延びている。この捕捉構造２１は、ヘッド７に接合するため、骨即ち椎骨２から自由な連結構造即ち捕捉構造として作動できるように設けられている。捕捉構造２１は、円筒形の半径方向外面２２を有する。この円筒形表面２２には、半径方向外方に延びる少なくとも一つの非螺旋状の突出部即ちスプライン２４が設けられており、このスプラインは表面２２を越えて延びている。図１乃至図１８に示す実施例では、捕捉構造２１はこのようなスプラインを３個備えている。これらのスプライン２４はシャンク６の上端２５の近くに配置されており、互いに対して約１２０°の間隔で配置されるように、周方向中心が等しく、ここを中心として間隔が隔てられている。各スプライン２４は三角形の側面形状を有し、シャンク６の上端２５の近くから下方に及び半径方向内方に傾斜した前方楔形成面２７を有する。シャンクの上端２５の中央には、更に、軸線方向に延び且つ上方に差し向けられた突出部即ちドーム２９が配置されている。このドームの中央には、第１半径を持つように丸味が付けてある。
【００１９】
シャンク上端２５には、更に、工具の駆動ヘッド（図示せず）が係合するための少なくとも一つの工具係合穴が設けられている。工具駆動ヘッドは、シャンク６を椎骨２内に打ち込むため及び回転させるための両方を行うため、穴に適合する大きさ及び形状を備えている。例示の実施形態では、互いに対して間隔が隔てられた関係で配置された一対の穴３１、ドーム２９、及びシャンク回転軸線Ａがシャンク上端２５に配置されている。穴３１は、シャンク捕捉構造２１内に軸線Ａと平行に延びる。適当な同様の噛み合い形状の駆動工具と係合するため、様々な穴やスロット等を本発明に従って使用できるということ、又は軸線方向上方突出部の外面に溝や切り子面を設け、これと噛み合う工具でこれを駆動できるということがわかっている。
【００２０】
ヘッド７は、図１でわかるように全体に円筒形形状の側面を有するが、ヘッド７は中実円筒体でなくてもよい。ヘッド７は一対の直立アーム３４及び３５を備えたベース３３を有する。これらのアーム間には下座面３９を持つＵ形状チャンネル３８が形成される。下座面は、ロッド３を作動的にぴったりと受け入れるため、ロッド３とほぼ同じ半径を有する。アーム３４及び３５の各々は、部分的に螺旋状の案内前進構造４２を含む内面４１を有する。図示した実施形態では、案内前進構造４２は、部分的に螺旋状のフランジ形態であり、以下に説明するように、回転時に閉鎖栓９の同様の構造と噛み合う。しかしながら、案内前進構造４２は、別の態様では、Ｖ形状ねじ、鋸歯ねじ(buttress thread)、逆ねじ、又は回転させたときに閉鎖栓をアーム３４と３５との間で作動的に案内し前進する他のねじ状又は非ねじ状螺旋状前進構造であってもよいということがわかっている。組み立て中にヘッド７を保持するため、アーム３４及び３５の外側に工具係合穴４４が形成されている。
【００２１】
Ｕ形状チャンネル３８内に上方に開放したチャンバ即ちキャビティ４７がヘッドのベース３３内に配置されている。キャビティ４７は部分的に球形の表面４８を含み、この表面の少なくとも一部が、以下に詳細に説明するように、リング８用の部分的に半球形の内側座面４９を形成する。ボア５２は、更に、キャビティ４７とベース３３の底部外部との間を連通し、ヘッド７の回転軸線Ｂと同軸である。ボア５２は、以下に詳細に説明するように、リング８がキャビティ４７とヘッド７の下側外部との間を通過しないようにする制限構造をリテーナリング８に対するネック５４の位置に形成するため、リング８よりも小径の制限ネック５４を少なくとも部分的に画成する。面取り５５がネック５４とベース３３の底部外部との間を延びている。この半球形表面４８は、これと関連して第２半径を有する。
【００２２】
図２乃至図５に最もよく示すリテーナリング８の作動的中央軸線は、シャンク６と関連して延びる軸線Ａと同じであるが、リング８をシャンク２から分離した場合には、回転軸線は、図４に示すように、軸線Ｃとして示す。リテーナリング８は、このリテーナリング８を上面５８から底面５９まで完全に貫通した中央ボア５７を有する。このボア５７は、以下に説明するように特定の条件で円筒形表面２２とボア５７との間で軸線方向に摺動できるように、シャンク捕捉構造円筒形表面２２にぴったりとしかし摺動自在に嵌着する大きさ及び形状を備えている。軸線方向に配置された三つのチャンネル６０が軸線Ｃから間隔が隔てられており、ボア５７から半径外方にリテーナリング８の壁内に延びており、頂部から底部まで延びる三つの溝又はスロットを形成する。チャンネル６０の背部６１は、軸線Ｃから、スプライン２４の最外部分のシャンク６の軸線Ａからの距離と同じ半径方向距離のところにある。チャンネル６０は、更に、スプライン２４と同様に周方向に角度をなして間隔が隔てられており、スプライン２４に対応した幅を有する。このようにして、スプライン２４がチャンネル６０と整合している場合、即ちスプラインが図１２に示すように整合状態にある場合にはいつでも、リングの中央ボア５７を通して捕捉構造２１を軸線方向に摺動させることによってシャンク捕捉構造２１をリング８に入れることができる。
【００２３】
リテーナリング８は、更に、ボア５７の上部分から半径方向外方に延びる三つの捕捉部分スロット、レシーバー、又は凹所６２を有する。これらの凹所６２は、リテーナリング８の頂部から底部まで全長に亘って延びているのではなく、頂面５９だけが開放しており、リング８の高さに沿って部分的に延びている。凹所６２は、スプライン２４がチャンネル６０に対して非整合状態にあるときに、スプライン２４を上方から受け入れるように大きさ、位置、及び形状が定められている。即ち、凹所６２の幅はスプライン２４の幅とほぼ同じであり、スプライン楔形成面２７と同様の形状の噛み合い楔係合表面６４を有し、スプライン２４を凹所６２の上方に凹所整合状態で位置決めしたとき、シャンク６を下方に向けてリング８に対して軸線方向に並進させることによって、即ち移動させることによって、スプライン２４を凹所６２に上方から滑り込ませることができる。
【００２４】
幾つかの実施形態では、楔係合面６４は、スプライン２４に設けられた楔形成面２７よりも僅かに大きく傾斜しており、そのため、スプライン２４を下方に凹所６２に押し込んだとき、以下に更に詳細に説明するように、外方への楔作用が付加的に発生する。
【００２５】
このようにして、シャンク捕捉構造２１を上方に装入し、即ちリテーナリング中央ボア５７を通して上方に押し、リテーナリング８の頂部５８を越えさせ、約６０°に亘って回転させた後、下方に装入し、即ち下方に送り、スプライン２４を凹所６２内に配置し且つ捕捉することができる。ひとたびスプライン２４が凹所６２に着座すると、シャンク６はリング８に対して軸線方向下方にこれ以上移動できない。好ましくは、リテーナリング８は、更に以下で説明するように、上方の構造物からの圧力の作用によりスプライン２４が凹所６２に及ぼす下方への圧力によって、リング８を半径方向外方に僅かに拡張できるように、金属又は他の十分に弾性の材料で形成されている。これにより、リング８を凹所６２の位置で半径方向外方に僅かに拡張させる。
【００２６】
リング８の半径方向外側には、部分球形表面４８と噛み合う大きさ及び形状の部分半球形表面６５が設けられており、この表面６５は、表面４８と関連した第２半径とほぼ等しい第３半径を有する。リングの第３半径は、ドーム２９と関連した第１半径よりもかなり大きく、また、ネック５４の半径よりもかなり大きい。
【００２７】
長手部材即ち細長いロッド３は、脊柱再建手術等で使用される多くの様々な種類のインプラントのうちの任意のものであってもよいが、通常は、直径が均等な円筒形表面６６を持つ円筒形の細長い構造物である。ロッド３は、好ましくは、Ｕ形状チャンネル３８の底部近くにぴったりと着座する大きさ及び形状を有し、通常の作動中、チャンネル３８の底部の僅かに上方に位置決めされる。詳細には、ロッド３は、通常は、図１６でわかるようにシャンクドーム２９と係合し、アッセンブリ１を完全に組み立てたとき、ドーム２９及び従ってシャンク６を下方に押圧する。
【００２８】
閉鎖栓９は、本発明と関連して使用するための多くの様々な閉鎖栓のうちの任意のものであってもよく、起立アーム３４及び３５との適当な噛み合い構造を備えている。例示の閉鎖栓９は全体に円筒形形状のベース６７を有し、このベースには上方に延びる折り取りヘッド(break-off head)６８が設けられている。ベース６７には螺旋状案内前進構造７１が設けられており、この構造の大きさ、形状、及び位置は、閉鎖栓９をヘッド７内に回転させることができるように、詳細には、アーム３４及び３５を拡げることなくＵ形状チャンネル３８の頂部を閉鎖してロッド３を捕捉するため（図１６参照）、アーム３４及び３５に設けられた案内前進構造４２と係合するように定められている。前進して圧力をトルクの作用でロッド３に加えることによってロッドに対して作動的に押圧され、そのため、ロッド３はシャンクドーム２９に向かって下方に押し付けられる。シャンクドーム２９に下方に押圧することにより、ロッド３とドーム２９との間に摩擦係合を作動的に発生させ、更にスプライン２４を下方に、リテーナリング８に対して下方及び半径外方の両方向に押圧し、リテーナリングの半球形の外面６５を、ヘッド７の部分球形の内面４８にぴったりと摩擦の作用で着座させ、更にシャンク６及びリテーナリング８をヘッド７に対して固定位置に係止する。
【００２９】
閉鎖栓折り取りヘッド６８は、ベース６７にネック７３のところで固定されている。ネックの大きさ及び形状は、リテーナリング８をヘッド７に適切に着座するように設計された所定トルクで折り取られるように定められている。折り取りヘッド６８の外面７５には、閉鎖栓９を回転しトルクを加えるための駆動工具（図示せず）の従来のソケットヘッドを受け入れる大きさ及び形状の切り子面が設けられている。折り取りヘッド６８は、更に、操作工具を作動的に受け入れるための中央ボア７７及び溝７８を含む。
【００３０】
閉鎖栓９は、更に、軸線からずらされた一対の通過穴８１を含む除去構造を備えている。これらの通過穴はベース６７の頂部から底部まで延びている。これらの穴８１は、閉鎖栓９の回転軸線Ｄと平行に配置されているが、この軸線から半径方向に間隔が隔てられている。穴８１は、折り取りヘッド６８を図１８でわかるようにベース６７から折り取った後、ベース６７の頂部からアクセスできるようになる。穴８１は、必要な場合に、設置後に取り外すため、閉鎖栓のベース６７を回転させるために穴８１と噛み合ってこの穴に挿入できる面を持つ工具を受け入れるように設計されている。
【００３１】
図１乃至図１８に示す実施形態は三つのスプライン３を含むけれども、スプラインを一つしか備えていないシャンク６も本発明の範囲内で作動することができるということがわかっている。しかしながら、追加のスプライン３を設けることにより、力をリング８上で更に均等に分配でき、たが歪み(hoop strain)等による破損を起こり難くする。特定の実施形態の対をなした及び向き合ったスプラインにより力を更に均等に分配できる。本発明では様々な数のスプラインを使用できると考えられるが、スプラインは多ければ多い程小さくしなければならず、ある点で最大数が制限される。しかしながら、この点に達するまで、以上の考えは有効である。更に、特定の実施形態では、追加のチャンネル及び凹所により、リングを更に弾性にできる。
【００３２】
多軸骨アッセンブリ１を本発明に従って使用するとき、通常は、先ず最初に、図６に示すようにリテーナリング８をＵ形状チャンネル３８を通して摺動させ、図６でわかるようにチャンバ４７に入れてこれに着座させる。その後、リテーナリング８を９０°に亘って回転させ、ヘッド７と同軸にし、図７でわかるようにリテーナリング外面６５をヘッドの球形の内面４８とぴったりとしかし摺動自在に噛み合わせる。
【００３３】
図９、図１０、及び図１２を参照すると、ヘッド７内のリング８をシャンクの捕捉構造２１上で摺動させ、スプライン２４を夫々のチャンネル６０に通して上方に摺動させ、次いでスプライン２４を、少なくとも部分的に、図１０に示すように、リテーナリング８の上方のＵ形状チャンネル３８及びチャンバ４７内に配置する。次いで、シャンク６を軸線Ａを中心としてヘッドに対して６０°回転させ、シャンク６の並進方向を逆にする。その結果、シャンクは、図１１及び図１３でわかるように、ヘッド７に関して下方に又は軸線方向に移動し、スプライン２４が凹所６２に入る。この時点で、リテーナリング８には外方又は下方への大きな圧力は作用しておらず、そのため、リテーナリング８をチャンバ４７内でシャンク６とともに容易に回転させることができる。このような回転はボール−ソケット型であり、シャンクのネック２０とリングの制限ネック５４との係合により制限される。回転を図１４に示す。この図には、シャンク６をヘッド７に対して大きな角度回転に亘って側部から側部まで、及び前部から後部まで回転できることが示してあり、ネック２０がヘッド７のネック５４と係合することのみによって回転角度が制限されるユニバーサルジョント即ちボールジョントを実質的に提供する。
【００３４】
次いで、通常は、適当な駆動工具（図示せず）を使用してシャンク６を回転させることによって椎骨２等のようなにアッセンブリ１をねじ込む。この駆動工具は、シャンク６と穴３１のところで係合することによって、シャンクを作動的に駆動し、回転させる。仮想線で示す椎骨２に対するシャンク６の位置を図８に示す。通常は、シャンク６を椎骨２に配置する前にヘッド７及びリング８をシャンク６上に組み立てるが、特定の場合には、先ず最初に、シャンク６を、組み立てを行うことができるように捕捉構造２１が大きく延びた状態で埋め込み、次いでシャンク６を椎骨２に更に打ち込むことができる。
【００３５】
最終的には、図１５でわかるように、ロッド３をヘッドのＵ形状チャンネル３８内に位置決めし、次いで閉鎖栓９をアーム３４及び３５に挿入し、これらのアーム間で前進させ、ロッド３に押し付ける。閉鎖栓９の折り取りヘッド６８に所定のトルク、例えば約１．０３Ｋｇ・ｍ（９０インチポンド）を加え、ロッド３を下方に押圧する。シャンクドーム２９は、丸味を帯びており且つ上方にＵ形状となったチャンネル３８内に延びる大きさを備えているため、閉鎖栓９がロッド３を下方に押したとき、図１６でわかるようにロッド３と係合して下方に押される。
【００３６】
シャンク６に作用する下方への圧力により、スプライン２４が下方に押圧され、これにより、図１７に示す状態でわかるように、リテーナリング８に下方へのスラスト及び外方への推力の両方が及ぼされる。ロッド３を含む多軸骨ねじアッセンブリ１を椎骨２に位置決めした状態で図１８に示す。骨ねじシャンク６の軸線Ａは、ヘッド７の軸線Ｂと同軸でないように示してあり、シャンク６はこの角度係止状態で係止される。設置手術中、ロッド３の位置等による必要に応じて他の角度状態をとることができる。
【００３７】
アッセンブリ１を取り外す必要がある場合には、閉鎖栓穴８１と噛み合う駆動工具を使用してベース６７を回転させ、ヘッド７内で逆方向に前進させ、アッセンブリ１を分解できる。次いで、組み立てについて上文中に説明した方法を逆に行うことにより、アッセンブリ１の残りを分解する。
【００３８】
本発明によるリテーナリング８８の第２実施形態を図１９に示す。リテーナリング８８は、不連続であること及びその一方の側部に沿って頂部から底部まで半径方向に延びる空間即ち隙間９０を有する以外は、上述の実施例のリテーナリング８と極めて類似している。この隙間９０により、上述の実施形態の場合と同様に、リング８８を構成材料を延伸する必要なしに膨張させることができる。リング８８は、中央ボア９２、スプラインチャンネル９３、及びスプラインレシーバー９４を含み、これらは全て、上述の実施形態について説明した同様の構造と同様である。リテーナリング８８は、更に、部分半球形表面９５をその外側に備えている。
【００３９】
図２０及び図２１には、シャンク１０６及び捕捉リング１０７を含む本発明の第３実施形態の要素が示してある。これらのシャンク１０６及び捕捉リング１０７は、第１実施形態で説明したのと同じ方法で使用され、ヘッド７等のヘッドは本明細書中にこれ以上詳細に説明しない。シャンク１０６は、螺旋状ねじ山１１１を備えた本体１１０及びこの本体１１０にネック１１５によって接合された捕捉構造１１４を備えているという点でシャンク６と同様である。本実施形態と第１実施形態との間の主要な相違点は、捕捉構造１１４が第１実施例のスプライン２４と同様の形状のスプライン１２０が四つ設けられているということであるが、これらのスプライン１２０は、対をなした両スプライン１２０が設けられるように互いから９０°で配置されており、上述の実施形態のドームの代わりに軸線方向延長部１２２を使用する。各スプライン１２０は楔面１２１を含む。延長部１２２は、シャンク１０６の軸線と平行に延びる切り子面１２３を有し、シャンク１０６を骨に打ち込むため、六角形ヘッド駆動工具（図示せず）を受け入れる大きさ及び形状を備えている。延長部１２２は、更に、丸味を帯びた上面１２４を有する。シャンク１０６は、更に、シャンク１０６の全長に亘って延びる軸線方向に延びる挿管穴即ちボア１２５を有する。
【００４０】
図２１に示す捕捉リング１０７は、一組の四つのチャンネル１２６及び四つの凹所１２７を含む以外はリテーナリング８と同様である。これらは、チャンネル１２６に関し、スプライン１２０を上方に摺動通過させることができるように大きさ及び形状が定められており且つ位置決めされており、凹所１２７に関し、スプライン１２０をこれらが軸線方向下方に移動するときに捕捉し受け入れるように大きさ及び形状が定められており且つ位置決めされている。リング１０７は、ヘッド７の対応する表面と、第１実施例について説明した方法で噛み合う部分半球形外面１２９を有する。
【００４１】
本発明の特定の形態を本願に例示し且つ説明したけれども、本発明は、説明し図示した部品の特定の形態又は構成に限定されないということは理解されるべきである。
【図面の簡単な説明】
【００４２】
【図１】シャンク、ヘッド、及びリテーナリングを含む、本発明による多軸骨ねじの三つのエレメントの分解斜視図である。
【図２】リテーナリングの拡大平面図である。
【図３】リテーナリングの拡大斜視図である。
【図４】リテーナリングの拡大側面図である。
【図５】リテーナリングの拡大底面図である。
【図６】ヘッドに挿入されたリテーナリングを示す、図１の６−６線に沿ったヘッドの拡大断面図である。
【図７】ヘッドに着座させたリテーナリングを示す、図６と同様のヘッドの拡大断面図である。
【図８】椎骨に埋め込まれたシャンクを示す、椎骨の断面図である。
【図９】組み立て中の及びリテーナリングをシャンク上に配置する直前の、シャンク、ヘッド、及びリテーナリングの拡大部分斜視図である。
【図１０】リテーナリングのチャンネルを通して挿入したシャンクの捕捉端に設けられた、ヘッド内で上方にリテーナリングの上方に位置決めされたスプラインを示す、図６と同様のヘッドの拡大部分断面図である。
【図１１】リング内の受け入れ凹所内に下ろしてそこに位置決めしたスプラインを備えたシャンクの上捕捉端を示す、図１０と同様のヘッドの断面図である。
【図１２】図１０に示す位置と対応する、ヘッドの断面図及びシャンク及びリングの平面図である。
【図１３】図１１に示す位置と対応する、ヘッドの断面図及びシャンク及びリングの平面図である。
【図１４】実線で示す一つの位置から仮想線で示す第２位置まで揺動する又は回転するシャンクを示す、ヘッド、リング、及びシャンクの側面図である。
【図１５】ヘッドに受け入れられたロッド及び折り取りヘッドを持つ閉鎖栓を示す、閉鎖栓を回転させてヘッドに挿入する最終組み立て前の多軸骨ねじアッセンブリの部分分解斜視図である。
【図１６】ヘッドにロッドが受け入れられており、閉鎖栓が一杯に挿入されており且つロッドに押し付けられており、ロッドがシャンクの頂部に押し付けられた、完全に組み立てた状態の骨ねじアッセンブリの拡大正面図である。
【図１７】図１６の１７−１７線に沿った、ロッドが挿入された骨ねじアッセンブリの拡大部分断面図である。
【図１８】組み立てを完了した骨ねじアッセンブリのシャンクが、ヘッドに関して所定の角度配向で係止された作動形態で椎骨に埋め込まれた、図１７の１８−１８線に沿った、椎骨、ヘッド、ロッド、及び閉鎖栓の拡大断面図である。
【図１９】本発明の第１変形例のリテーナリングの斜視図である。
【図２０】挿管穴、四つのスプライン、及びシャンクを操作するために六角形工具が係合できるヘッドが設けられたシャンクを示す、本発明の第２変形例のリテーナリングの斜視図である。
【図２１】本発明の第２変形例に従って使用するためのリング及び図２０のシャンクの斜視図である。
【図１】
2007524424.tif 000003
【図６】
2007524424.tif 000004
【図７】
2007524424.tif 000005
【図２】
2007524424.tif 000006
【図３】
2007524424.tif 000007
【図４】
2007524424.tif 000008
【図５】
2007524424.tif 000009
【図８】
2007524424.tif 000010
【図１２】
2007524424.tif 000011
【図１３】
2007524424.tif 000012
【図９】
2007524424.tif 000013
【図１０】
2007524424.tif 000014
【図１１】
2007524424.tif 000015
【図１４】
2007524424.tif 000016
【図１５】
2007524424.tif 000017
【図１６】
2007524424.tif 000018
【図１７】
2007524424.tif 000019
【図１８】
2007524424.tif 000020
【図１９】
2007524424.tif 000021
【図２０】
2007524424.tif 000022
【図２１】
2007524424.tif 000023
【手続補正書】
【提出日】平成17年3月28日(2005.3.28)
【手続補正１】
【補正対象書類名】特許請求の範囲
【補正対象項目名】全文
【補正方法】変更
【補正の内容】
【特許請求の範囲】
【請求項１】
多軸骨ねじにおいて、
（ａ）骨に埋め込まれるようになっている本体及びこの本体から延びる捕捉構造とを有し、前記捕捉構造はこの捕捉構造から半径方向外方に延びる少なくとも一つのスプラインを含む、シャンクと、
（ｂ）ロッド部材を受け入れるようになっているチャンネル、及び部分的に球形の表面を備えたキャビティを持ち且つ前記チャンネルと上開口部を通して連通するベースとを有し、前記キャビティは、前記シャンクの捕捉構造を受け入れる大きさ及び形状の下開口部を通して外部と連通している、ヘッドと、
（ｃ）前記ヘッドのキャビティ内に受け入れられるリテーナリングであって、前記ヘッドの部分的に球形の表面に着座する大きさ及び形状の部分的に球形の外面を持ち、前記リングは中央ボアを有し、各スプラインの夫々について前記ボア内に開口する軸線方向通過リングチャンネルが設けられており、前記リングボア及びリングチャンネルは、前記シャンク捕捉構造を軸線方向に通した後に回転できるような大きさ及び形状を備えており、前記リテーナリングは、更に、各スプライン用の捕捉凹所を有し、この凹所は、前記シャンクを、次いで、前記リテーナリングに対して軸線方向下方に移動したとき、前記捕捉構造が前記リングによって捕捉されるように、夫々のスプラインを受け入れて捕捉するが、非係止組み立て状態では前記シャンクを前記ヘッドに対して回転させることができる大きさ及び形状を備えた、リテーナリングと、
（ｄ）前記シャンクを下方に作動的に押圧し、前記リング表面を前記ヘッド表面と摩擦係合させ、係止状態で前記シャンクを前記ヘッドに対して所定位置に係止するための閉鎖栓を含む、多軸骨ねじ。
【請求項２】
請求項１に記載のねじにおいて、
（ａ）前記シャンクは、周方向で等間隔に間隔が隔てられた少なくとも二つのスプラインを有する、ねじ。
【請求項３】
請求項１に記載のねじにおいて、
（ａ）前記シャンクは、周方向で等間隔に間隔が隔てられた少なくとも四つのスプラインを有する、ねじ。
【請求項４】
請求項１に記載のねじにおいて、
（ａ）前記シャンク捕捉構造は、前記ヘッドに受け入れられたときにロッド部材と係合するような大きさ及び形状の丸味を帯びたドームを備えた上方延長部を含み、前記閉鎖栓は、前記閉鎖栓が前記ヘッド内に作動的に位置決めされたとき、前記ロッド部材を前記ドームに作動的に押圧するようになっている、ねじ。
【請求項５】
請求項４に記載のねじにおいて、
（ａ）前記ドームの半径は、前記リテーナリングの半球形表面の半径よりもかなり小さい、ねじ。
【請求項６】
請求項１に記載のねじにおいて、
（ａ）前記ヘッドは、ロッド部材を受け入れるようになっているチャンネルを形成し、内側に案内前進構造が設けられた間隔が隔てられた起立アームを含み、
（ｂ）前記閉鎖栓は、前記アーム間に作動的に位置決めされて前記チャンネルを閉鎖し、前記アームに設けられた案内前進構造と噛み合う案内前進構造を含み、これにより前記閉鎖栓を前記閉鎖体内に回転させ、内側に配置された前記ロッド部材に押圧力を加えることができる、ねじ。
【請求項７】
請求項６に記載のねじにおいて、
（ａ）前記Ｕ形状チャンネル内に受け入れられたロッドと組み合わせられる、ねじ。
【請求項８】
請求項１に記載のねじにおいて、
（ａ）前記ヘッドの前記下開口部は、前記リテーナリングよりも半径が小さい制限ネックを有する、ねじ。
【請求項９】
請求項１に記載のねじにおいて、
（ａ）前記リングは前記上開口部を通して前記ヘッド内に入れられ、前記シャンクは前記下開口部を通して前記ヘッドに入れられる、ねじ。
【請求項１０】
請求項１に記載のねじにおいて、
（ａ）前記リングは、半径方向に延びる隙間を持つ割りリングである、ねじ。
【請求項１１】
ヘッド及びシャンクを含む多軸骨ねじにおいて、
（ａ）前記ヘッド内に受け入れられる大きさ及び形状を持ち且つ中央ボアを持つ捕捉リングであって、前記ボアから半径方向外方に延びる軸線方向に整合した少なくとも一つのチャンネルが設けられている、捕捉リングを更に含み、
（ｂ）前記シャンクは、各チャンネルと関連する半径方向外方に延びるスプラインが設けられた捕捉端を有し、このシャンク捕捉端は、前記ボアを前記スプラインの各々が通過するような大きさ及び形状を備えており、前記スプラインの各々は、その後、前記リングの上方に位置決めされ、前記シャンクは、その後、前記スプラインの各々を夫々のチャンネルと不整合にすることにより、前記シャンクが前記リングに対して捕捉されるように軸線方向に回転できる、多軸骨ねじ。
【請求項１２】
請求項１１に記載の骨ねじにおいて、整合状態にある場合に夫々のチャンネルと摺動噛み合いするような大きさ及び形状を持ち且つそのように位置決めされる少なくとも二つのチャンネル及び少なくとも二つのスプラインを含む、骨ねじ。
【請求項１３】
請求項１１に記載の骨ねじにおいて、
（ａ）前記シャンクは、前記シャンク及びリングの接合後に前記リングの上方に延びる上突出部を含み、
（ｂ）前記ヘッド用閉鎖機構を含み、この閉鎖機構は、前記骨ねじの組み立て時に前記スプラインの各々を前記リングに押し付けるように前記突出部に押し付けられる、骨ねじ。
【請求項１４】
請求項１３に記載の骨ねじにおいて、
（ａ）前記突出部は、前記リングと関連した第２曲率半径よりも小さい第１曲率半径を持つドームである、骨ねじ。
【請求項１５】
請求項１１に記載の骨ねじにおいて、
（ａ）前記ヘッドは、前記リングの部分的に半球形の表面とほぼ同じ部分的に球形の表面を持つ内チャンバを有し、前記リングは前記ヘッドチャンバ及び前記ヘッド表面に作動的に着座する、骨ねじ。
【請求項１６】
請求項１５に記載の骨ねじにおいて、
（ａ）前記チャンバは、前記シャンクを受け入れる大きさ及び形状のネックを通して前記ヘッドの外部に開放しており、前記シャンクは、前記ネックを通して少なくとも部分的に作動的に受け入れられ、
（ｂ）前記ネックは前記リングよりも小径である、骨ねじ。
【請求項１７】
請求項１６に記載の骨ねじにおいて、
（ａ）前記ヘッドはロッド受け入れチャンネルを有し、
（ｂ）前記ロッドチャンネルに作動的に位置決めされ且つ前記シャンクと作動的に係合するロッド、及び
（ｃ）前記ロッドチャンネルを作動的に閉鎖する、前記ロッドに押し付けられる閉鎖栓を含む、骨ねじ。
【請求項１８】
請求項１１に記載の骨ねじにおいて、
（ａ）前記リングは前記スプラインの各々用のスプライン受け入れ凹所を含み、これらの凹所の各々は夫々のリングスプラインチャンネルから周方向に間隔が隔てられており、このようなスプラインが夫々の凹所と整合し、前記リングの上方から挿入されたとき、その中に夫々のスプラインを作動的に捕捉する、骨ねじ。
【請求項１９】
ねじ山を備えた本体部分及び連結機構によって接合できる捕捉構成要素を備えたシャンクを持つ多軸骨ねじにおいて、前記捕捉機構は、
（ａ）前記シャンク本体部分の捕捉端に配置された半径方向外方に延びるスプライン、
（ｂ）前記捕捉構成要素に配置された、半径方向外方に延びるチャンネルを含む貫通ボア及び、
（ｃ）前記ボアは、接合スプラインを備えた前記シャンク捕捉端を摺動自在に受け入れ且つ整合状態において前記ボア及びチャンネルに通すことができるような大きさ及び形状を備えており、前記シャンク本体部分は、その後、前記スプラインが前記チャンネルを通過しない非整合状態で前記スプラインを位置決めするため、前記捕捉構成要素に対して軸線方向に回転できる、多軸骨ねじ。
【請求項２０】
請求項１９に記載の骨ねじにおいて、
（ａ）前記捕捉構成要素は、前記スプラインが前記非整合状態の前記チャンネルと整合していない場合にのみアクセスできる前記スプライン用の捕捉凹所を含む、骨ねじ。
【請求項２１】
多軸骨ねじにおいて、
（ａ）ヘッド、
（ｂ）捕捉端と軸線方向に隣接したねじ山を備えた本体を持つシャンクであって、前記捕捉端は、円形断面を有し且つ非螺旋状の半径方向外方に延びる少なくとも一つのスプラインを有する、シャンク、及び
（ｃ）チャンネルが半径方向外方に位置決めされたボアを備えた捕捉部材であって、前記ボア及び前記チャンネルは、整合状態にある場合に前記シャンク捕捉端及びスプラインを摺動自在に受け入れるような大きさ及び形状を有し、前記シャンクは、前記捕捉端及びスプラインを前記ボア及びチャンネルに通した後、前記捕捉部材に対し、スプラインが前記チャンネルと整合していない非整合状態まで軸線方向に回転でき、前記非整合状態では、これによって、前記シャンクを前記捕捉部材に接合する、捕捉部材を含む、多軸骨ねじ。
【請求項２２】
請求項２１に記載の骨ねじにおいて、
（ａ）前記捕捉部材は、前記スプラインを前記チャンネルに非整合状態で受け入れ且つ捕捉するための捕捉凹所を含む、骨ねじ。
【請求項２３】
請求項２１に記載の骨ねじにおいて、
（ａ）前記ヘッドは、部分的に球形の表面を持つキャビティを含み、
（ｂ）前記捕捉部材は、前記ヘッド表面に回転自在に受け入れられる大きさ及び形状の外面を含む、骨ねじ。
【請求項２４】
請求項２３に記載の骨ねじにおいて、
（ａ）ロッド部材を受け入れるためのロッドチャンネル、及び
（ｂ）前記ロッド及び前記捕捉部材を前記ヘッドに対して固定位置に作動的に係止するための係止閉鎖栓を含む、骨ねじ。
【請求項２５】
請求項２３に記載の骨ねじにおいて、
（ａ）前記キャビティは、前記シャンク捕捉端を作動的に受け入れる下ネックを有し、前記ネックの関連した半径は、前記捕捉部材の半径よりも小さく、前記捕捉部材が前記ヘッドキャビティ内にある場合に前記捕捉部材がこれを通過しないようにする、骨ねじ。
【請求項２６】
多軸骨ねじにおいて、
（ａ）細長いロッドを受け入れるようになったチャンネル及び下穴を持つヘッド、
（ｂ）患者の骨に埋め込まれるようになっている下部分及び上部分を持ち、前記穴を通して前記ヘッド内に上方に装入される大きさ及び形状を持つシャンク、及び
（ｃ）前記シャンクの上部分は、前記シャンクが前記ヘッドに受け入れられた後、前記チャンネル内に延びるように大きさ及び形状が定められている、多軸骨ねじ。
【請求項２７】
請求項２６に記載の骨ねじにおいて、
（ａ）前記シャンクとは別の、前記ヘッドに受け入れられた捕捉構造であって、前記シャンクの上部分と噛み合って前記シャンクを前記ヘッドに固定すると同時に前記シャンクの前記ヘッドに対する多軸運動を可能にする捕捉構造を含む、骨ねじ。
【請求項２８】
請求項２７に記載の骨ねじにおいて、
（ａ）前記シャンク上部分は、前記チャンネル内に配置されたロッドに当接するように位置決めされており且つ賦形された係合端を含む、骨ねじ。
【請求項２９】
請求項２８に記載の骨ねじにおいて、
（ａ）前記係合端は凸状である、骨ねじ。
【請求項３０】
請求項２６に記載の骨ねじにおいて、
（ａ）前記ヘッドと噛み合って前記チャンネルを閉鎖するための噛み合い構造を備えており、前記ロッドを前記チャンネル内に捕捉するようになった閉鎖体を含む、骨ねじ。
【請求項３１】
請求項３０に記載の骨ねじにおいて、
（ａ）前記閉鎖体はねじ山を備えており、前記ヘッドは、前記閉鎖体を前記ヘッドにねじ込んでトルクを加えることができる噛み合いねじ山を含む、骨ねじ。
【請求項３２】
請求項３１に記載の骨ねじにおいて、
（ａ）ロッドを含む、骨ねじ。
【請求項３３】
請求項３２に記載の骨ねじにおいて、
（ａ）前記シャンク上部分は、前記骨ねじ及び前記ロッドの組み立て時に前記シャンク上部分の係合領域が前記ロッドと直接的に摩擦係合し、前記シャンクを、前記ヘッドに対し、選択された固定角度状態に固定するように賦形されており且つ位置決めされている、骨ねじ。
【請求項３４】
シャンク、及び上方に開放された受け入れチャンネル及び下開口部を含むヘッドを持つ多軸骨ねじにおいて、
（ａ）前記シャンクは、前記ヘッドの下開口部を通して上方に装入される大きさ及び形状である、多軸骨ねじ
【請求項３５】
請求３４に記載のねじにおいて、
（ａ）前記シャンクの上部分は、このシャンクを前記ヘッドに装入したときに前記チャンネル内に延びる、ねじ。
【請求項３６】
請求３４に記載の骨ねじにおいて、
（ａ）前記シャンクから離間された、前記シャンクの上部分に固定できる、前記ヘッド内に受け入れられるリテーナ構造を含む、骨ねじ。
【請求項３７】
請求３４に記載の骨ねじにおいて、
（ａ）前記リテーナ構造は、前記シャンクとは反対側から前記チャンネルを通して前記ヘッド内に下方に装入されるように大きさ及び形状が定められている、骨ねじ。
【請求項３８】
請求３４に記載の骨ねじにおいて、
（ａ）前記リテーナ構造は、前記ヘッド内のチャンバの丸味を帯びた噛み合い面と枢動自在に噛み合うようになった丸味を帯びた表面を備えている、骨ねじ。
【請求項３９】
多軸骨ねじ−ロッドアッセンブリにおいて、
（ａ）ロッドを受け入れるようになったチャンネルを有し且つ下穴を有するヘッド、
（ｂ）骨に埋め込まれるようになったねじ山を備えた下部分及び第１捕捉構造を備えた上部分を持つシャンク、
（ｃ）前記シャンクの上部分は、前記ヘッドの下穴を通して上方に装入される大きさ及び形状を備えており、
（ｄ）前記ヘッドの内側での前記第１捕捉構造と噛み合い且つこれに固定される第２捕捉構造を持ち、前記シャンクとは一体でなく、前記ヘッドの頂部から下方に装入される保持構造、
（ｅ）前記チャンネルに受け入れられるようになったロッド、及び
（ｆ）前記シャンクの上部分は凸状の上面を更に含み、この凸状の上面は、前記骨ねじが完全に組み立てられ、前記ロッドが前記チャンネル内に配置されたとき、前記ロッドと係合して前記シャンクを前記ヘッドに対して移動不能の状態に押し込むように大きさ及び形状が定められており且つそのように位置決めされている、多軸骨ねじ。
【請求項４０】
請求３９に記載の骨ねじにおいて、
（ａ）前記保持構造は連続したリングである、骨ねじ。
【請求項４１】
請求３９に記載の骨ねじにおいて、
（ａ）前記保持構造は不連続なリングである、骨ねじ。
【請求項４２】
シャンク及びヘッドを持つ多軸骨ねじにおいて、
（ａ）前記シャンクは、前記シャンクを前記ヘッド内に下方から上方に装入できるように大きさ及び形状が定められており、保持構造は、前記シャンクを前記ヘッドに捕捉するため、前記ヘッド及び前記シャンクと一体でない、多軸骨ねじ。
【請求項４３】
シャンク及びヘッドを持ち、前記ヘッドがロッド受け入れチャンネルを含む多軸骨ねじにおいて、
（ａ）前記シャンクは、前記シャンクを前記ヘッド内に上方に装入できるように大きさ及び形状が定められており、
（ｂ）前記シャンクは、このシャンクを前記ヘッド内に装入した後に前記チャンネル内に突出するように大きさ及び形状が定められた上係合領域を有する、多軸骨ねじ。
【請求項４４】
シャンク及びヘッドを持つ多軸骨ねじにおいて、
（ａ）前記ヘッドは下穴を有し、前記シャンクは、このシャンクの上部分を前記穴を通して前記ヘッド内に上方に装入できるように大きさ及び形状が定められており、
（ｂ）前記シャンクと一体でなく、前記ヘッド内に別に装入され、前記シャンクと噛み合ってこのシャンクを前記ヘッド内に捕捉する保持構造を有する、多軸骨ねじ。
【請求項４５】
請求４４に記載の骨ねじにおいて、
（ａ）前記保持構造は、前記ヘッドの前記シャンクとは反対側に装入されるように大きさ及び形状が定められている、骨ねじ。
【請求項４６】
請求４４に記載の骨ねじにおいて、
（ａ）前記保持構造は、前記シャンクよりも前に前記ヘッド内に上方に装入される、骨ねじ。
【請求項４７】
ヘッド及びシャンクを持つ多軸骨ねじにおいて、
（ａ）前記ヘッドは、内チャンバ及び第１半径を持つ下穴を有し、
（ｂ）前記シャンクは、前記穴を通して挿入できるように前記第１半径よりも小さい第２半径を持つ上部分を有し、
（ｃ）前記チャンバ内に設けられた、前記ヘッドとは別の、前記シャンクの上部分と噛み合ってこれに固定される大きさ及び形状の保持構造を含む、多軸骨ねじ。
【請求項４８】
シャンク、及び丸味を帯びた表面を備えた内チャンバを持ち且つ下穴を更に有するヘッドを含む多軸骨ねじにおいて、
（ａ）前記チャンバ表面は半径が前記穴よりも大きく、
（ｂ）前記シャンクは、このシャンクを前記穴を通して上方に装入できるように前記穴よりも半径が小さい上部分を有し、
（ｃ）前記シャンクとは別に前記チャンバ内に装入され、前記シャンクを前記チャンバ内に捕捉し、位置決め中に前記チャンバ表面と摺動自在に噛み合い且つ前記チャンバ表面に関して回転する大きさ及び形状の下面を持つ保持装置を含む、多軸骨ねじ。
【請求項４９】
骨ねじを患者に埋め込む方法において、
（ａ）下穴及びインプラント受け入れチャンバを持つ骨ねじヘッドを提供する工程、
（ｂ）ねじ山を備えた下部分及びインプラント係合端を含む上部分を持つ細長いシャンクを提供する工程、
（ｃ）前記シャンク上部分を前記ヘッドに下から前記穴を通して装入する工程、
（ｄ）前記シャンクを患者の骨に埋め込む工程、及び
（ｅ）前記ヘッドに対する前記シャンクの位置を固定するように、前記シャンク係合端が前記インプラントに当接するように前記インプラントを前記チャンネル内に配置する工程を含む、方法。
【請求項５０】
請求項４９に記載の方法において、
（ａ）前記シャンクを前記ヘッド内に捕捉するための別体の捕捉構造を提供する工程、
（ｂ）前記捕捉構造を前記ヘッド内に配置する工程、及び
（ｃ）前記シャンク上部分を前記捕捉構造に固定する工程を含む、方法。
【請求項５１】
請求項５０に記載の方法において、
（ａ）前記シャンクを前記骨に埋め込む前に前記捕捉構造を前記シャンクの上部分に固定する工程を含む、方法。
【請求項５２】
請求項５０に記載の方法において、
（ａ）前記捕捉構造は連続したリングであり、
（ｂ）前記シャンクと噛み合う構造を前記リングに形成する工程を含む、方法。
【請求項５３】
請求項５０に記載の方法において、
（ａ）前記捕捉構造を上方から少なくとも部分的に前記チャンネルを通して装入する工程を含む、方法。
【請求項５４】
請求項４９に記載の方法において、
（ａ）前記チャンネルを閉鎖するための閉鎖体を提供し、前記インプラントが前記チャンネルに配置された後、前記閉鎖体を前記チャンネル内に設置する工程を含む方法。
【請求項５５】
請求項５４に記載の方法において、
（ａ）前記インプラントはロッドであり、
（ｂ）前記シャンク上部分の係合端と摩擦係合するように前記ロッドを前記チャンネル内に位置決めする工程を含む、方法。
【請求項５６】
請求項５５に記載の方法において、
（ａ）噛み合うねじ山を前記閉鎖体及び前記ヘッドに形成し、前記閉鎖体が前記ロッドと係合するまで前記閉鎖体を前記ヘッドにねじ込み、その後、前記閉鎖体にトルクを加え、前記ロッドを固定し、前記ロッドを前記シャンク上部分の係合領域に押圧する工程を含む、方法。
【請求項５７】
請求項５５に記載の方法において、
（ａ）前記シャンクに前記ヘッドに対する枢動構造を提供し、前記シャンク係合端が前記ロッドと摩擦係合する前に前記シャンクの前記ヘッドに対する角度位置を調節できるようにする工程、及び
（ｂ）前記シャンク係合端が前記シャンクと前記ロッドとの間の選択可能な複数の角度形体で前記ロッドと係合するように前記シャンク係合端に丸味を付ける工程を含み、
（ｃ）前記ロッドは、このロッドを前記シャンク上係合端に押し付けたとき、前記ヘッドに対する選択された角度状態で前記シャンクと摩擦係合し且つ係止する、方法。
【請求項５８】
請求項４９に記載の方法において、
（ａ）前記インプラントを前記チャンネル内に配置する前に前記シャンク上部分係合端を前記チャンネル内に突出する工程を含む、方法。
【請求項５９】
骨ねじを患者に埋め込む方法において、
（ａ）下穴及びロッド受け入れチャンネルを持つ骨ねじヘッドを提供する工程、
（ｂ）ねじ山を備えた下部分及びロッド係合領域を備えた上部分を持つ細長いシャンクを提供する工程、
（ｃ）前記シャンク上部分を前記ヘッド内に下から前記穴を通して装入する工程、
（ｄ）前記シャンクを前記ヘッドの内側に捕捉すると同時に前記シャンクを前記ヘッドに対して枢動できるようにする工程、
（ｅ）前記シャンクを患者の骨に埋め込む工程、
（ｆ）前記ヘッドを前記シャンクに関して選択された角度状態に移動させる工程、
（ｇ）前記ロッド係合領域が前記ロッドに当接するように前記ロッドを前記チャンネル内に配置する工程、
（ｈ）閉鎖体を前記ヘッドに設置し、前記チャンネルを閉鎖し、前記ロッドに押し付け、前記ロッドを前記ロッド係合領域に押し付けて前記ヘッドを前記選択された角度状態で前記シャンクに対して係止する工程を含む、方法。
【請求項６０】
シャンク、及びロッドを受け入れるようになったチャンネルを持つヘッドを含む多軸骨ねじを患者に埋め込む方法において、
（ａ）前記シャンクを前記ヘッド内に捕捉されるように前記ヘッド内に上方に装入する工程、
（ｂ）前記シャンクに上係合端を設ける工程、及び
（ｃ）前記チャンネル内に配置されたロッドに当接するように前記シャンク上係合端を前記チャンネル内に位置決めする工程を含む、方法。
【請求項６１】
請求項６０に記載の方法において、
（ａ）前記シャンクを捕捉するための捕捉構造を提供する工程を含む、方法。
【請求項６２】
請求項６１に記載の方法において、
（ａ）前記捕捉構造を前記ヘッド内に前記シャンクとは反対側から下方に装入する工程を含む、方法。
【国際調査報告】
2007524424.tif 000024